(57)【特許請求の範囲】
【請求項１】
通信ネットワーク（Ｒ）用のサーバ（Ｓ）、および位置付け可能な位置に関係するデータを記録するために位置付け装置（ＤＬ）を備える無線通信端末（Ｔ）の方法であって、ｉ）端末（Ｔ）が、ある位置においてある人物が抱いた少なくとも１つの感情を表す主要データを記録するステップと、ｉｉ）位置決め装置（ＤＬ）が、前記位置の地理的位置を求めるステップと、ｉｉｉ）端末（Ｔ）が、前記特定の地理的位置との相関関係において記録された主要データを記憶するステップと、ｉｖ）サーバ（Ｓ）が、少なくとも１人の人物のデータ記録に関連する複数の位置を含む区域を表す地図を表示するステップと、ｖ）サーバが、前記地図内に定義された副区域を表示するステップと、ｖｉ）サーバが、それぞれの副区域ごとに、少なくとも１人の人物によりその副区域の中で経験された、少なくとも１つの選択された感情に関係する平均値を表示するステップと、ｖｉｉ）サーバが、その平均値を表すマーカーをそれぞれの副区域ごとに表示するステップとを含むことを特徴とする、方法。
【請求項２】
ｉ）の間、端末（Ｔ）が、前記人物が、端末（Ｔ）の画面（ＥＡ）上に表示されるメニューの、経験した感情のリストおよび／または経験した感情を表すアイコン群の中から、経験した感情を選択することができるようにすることを特徴とする、請求項１に記載の方法。
【請求項３】
ｉ）の間、記録された経験した感情の強さを表す補足的データを記録することができることを特徴とする、請求項１および２のいずれか一項に記載の方法。
【請求項４】
ｉ）の間、端末（Ｔ）が、前記人物が、端末（Ｔ）の画面（ＥＡ）上に表示されるメニューの強さのリストから、経験した感情の強さを選択することができるようにすることを特徴とする、請求項３に記載の方法。
【請求項５】
ｉ）の間、前記位置および／または記録された経験した感情についての説明を表す補足的データも記録され、この補足的データは前記経験した感情の主要データに関連付けられ、前記位置において記録されることを特徴とする、請求項１から４のいずれか一項に記載の方法。
【請求項６】
ｉ）の間、端末（Ｔ）の撮影装置（ＤＰ）が、少なくとも１枚の写真記録を前記位置で撮り、次いで、端末（Ｔ）が、それぞれの写真記録を定義する画像データを、前記位置において記録された前記経験した感情の主要データに関連付けることを特徴とする、請求項１から５のいずれか一項に記載の方法。
【請求項７】
ｉ）の間、端末（Ｔ）の音声記録装置（ＤＳ）が、少なくとも１つの音声記録を前記位置で録り、次いで、端末（Ｔ）が、それぞれの音声記録を定義する音声データを、前記位置において記録された前記経験した感情の主要データに関連付けることを特徴とする、請求項１から６のいずれか一項に記載の方法。
【請求項８】
ｉｉｉ）の間、端末（Ｔ）が、前記主要データおよびもしあれば前記関連する補足的データを、自動的に求められる地理的位置と対にして、およびその人物の識別子と対にしてサーバに記憶することを特徴とする、請求項１から７のいずれか一項に記載の方法。
【請求項９】
サーバ（Ｓ）が、少なくとも１人の人物のデータ記録に関連する複数の位置を含む区域を表す地図を表示し、少なくとも１つの選択された基準に応じて選択された、少なくとも１人の人物によって記録された主要データならびにもしあれば関連する補足的データを表す選択された要素を、対応する地理的位置において前記地図上に表示することを特徴とする、請求項１から８のいずれか一項に記載の方法。
【請求項１０】
通信ネットワーク（Ｒ）用のサーバ（Ｓ）と、位置付け装置（ＤＬ）を備える無線通信端末（Ｔ）用の、位置付け可能な位置に関係するデータを記録するための装置（Ｄ）とを備えるシステムであって、装置（Ｄ）が、前記端末（Ｔ）を使用する人物がある位置において経験する少なくとも１つの感情を表す主要データを記録すること、さらに端末（Ｔ）の位置付け装置（ＤＬ）によって求められる前記位置の地理的位置にその主要データを関連付けることの両方を課せられる記録手段（ＭＥ）を備え、
サーバ（Ｓ）が、人物の前記無線通信端末（Ｔ）により送信された前記主要データならびに関連する補足的データおよびその人物の識別子を記憶することを課せられた記憶手段（ＭＳ）と、少なくとも１人の人物のデータ記録に関連する複数の位置を含む区域（Ｚ）を表す地図を生成し、前記地図内に定義される副区域（ＳＺｉ）を表示し、それぞれの副区域（ＳＺｉ）ごとに、少なくとも１人の人物によりその副区域（ＳＺｉ）の中で経験された、少なくとも１つの選択された感情に関係する平均値を表示し、その平均値を表すマーカーをそれぞれの副区域（ＳＺｉ）ごとに表示するように機能する計算手段（ＭＣ）とを備えることを特徴とする、システム。
【請求項１１】
前記記録手段（ＭＥ）が、前記端末（Ｔ）の画面（ＥＡ）上に表示されることを目的とするメニューであって、前記人物がその中から少なくとも１つの経験した感情を自らの端末（Ｔ）のマン／マシンインターフェース（ＩＨ）を使って選択することができる、経験した感情のリストおよび／または経験した感情を表すアイコン群を含む、メニューを生成するように機能する選択手段（ＭＳ）を備えることを特徴とする、請求項１０に記載のシステム。
【請求項１２】
前記記録手段（ＭＥ）が、記録された経験した感情の強さについての説明を表す、補足的データを追加的に記録するように機能することを特徴とする、請求項１０および１１のいずれか一項に記載のシステム。
【請求項１３】
前記選択手段（ＭＳ）が、前記端末（Ｔ）の画面（ＥＡ）上に表示されることを目的とするメニューであって、前記人物がその中から経験した感情の強さを自らの端末（Ｔ）のマン／マシンインターフェース（ＩＨ）を使って選択することができる、経験した感情の強さのリストを含む、メニューを生成するように機能することを特徴とする、請求項１２に記載のシステム。
【請求項１４】
前記記録手段（ＭＥ）が、前記位置および／または記録された経験した感情についての説明を表す補足的データを追加的に記録し、その補足的データを、前記位置において記録された前記経験した感情の主要データに関連付けるように機能することを特徴とする、請求項１０から１３のいずれか一項に記載のシステム。
【請求項１５】
前記記録手段（ＭＥ）が、ある位置において記録された経験した感情の主要データを、前記端末（Ｔ）の撮影装置（Ｄ）を使い前記位置で撮られた少なくとも１枚の写真記録を定義する画像データに、および／または前記端末（Ｔ）の音声記録装置（ＤＳ）を使いその位置で録られた少なくとも１つの音声記録を定義する音声データに関連付けるように機能することを特徴とする、請求項１０から１４のいずれか一項に記載のシステム。
【請求項１６】
通信ネットワーク（Ｒ）用のサーバ（Ｓ）であって、求められる地理的位置および人物の識別子と対にして記録され、その後、請求項１０から１５のいずれか一項に記載の記録装置（Ｄ）を備えるその人物の無線通信端末（Ｔ）によって伝送される、主要データおよびもしあれば関連する補足的データを記憶することを課せられる記憶手段（ＭＳ）を備えることを特徴とする、サーバ（Ｓ）。
【請求項１７】
少なくとも１人の人物のデータ記録に関連する複数の位置を含む区域（Ｚ）を表す地図を生成し、少なくとも１つの選択された基準に応じて選択された、少なくとも１人の人物によって記録された主要データならびにもしあれば関連する補足的データを表す選択された要素を、対応する地理的位置においてその地図に添付するように機能する計算手段（ＭＣ）を備えることを特徴とする、請求項１６に記載のサーバ。
【請求項１８】
ｉ）少なくとも１人の人物のデータ記録に関連する複数の位置を含む区域（Ｚ）を表す地図を生成し、ｉｉ）前記地図内に副区域（ＳＺｉ）を定義し、ｉｉｉ）それぞれの副区域（ＳＺｉ）ごとに、少なくとも１人の人物によりその副区域（ＳＺｉ）の中で経験された、少なくとも１つの選択された感情に関係する平均値を求め、ｉｖ）割り当てられたマーカーとともにそれぞれの副区域（ＳＺｉ）をその地図内に表示できるように、その副区域（ＳＺｉ）の求められた平均値を表すマーカーをそれぞれの副区域（ＳＺｉ）に割り当てるように機能する計算手段（ＭＣ）を備えることを特徴とする、請求項１６および１７のいずれか一項に記載のサーバ。
【発明の詳細な説明】
【技術分野】
【０００１】
本発明は、データを記録する分野に関し、より詳細には、位置付け可能な位置に関係するデータを記録できるようにする装置および方法に関する。
【背景技術】
【０００２】
人は、屋外環境または屋内環境の中で移動するときはいつでも、ある特定の位置において特定の感情を抱き、その特定の感情の痕跡を自分自身のためにまたは第三者のために保持したいと思うことがある。そのように保持するために、その人はその特定の感情および対応する位置をノートに書き込み、またはその特定の感情および対応する位置を述べる音声メッセージをテープレコーダ（または同様のもの）を使用して録音し、または任意の記録のベースとは別にその関連する位置の写真を撮る必要がある。
【０００３】
このような場合とは関係なく、ある位置に関係する手書きのノート、または音声メッセージ、または写真の内容を第三者が使用することは、あらかじめデジタルで書き換えることだけでなく、言葉で述べられた位置の地理座標を求めることも必要とするので困難であることが分かる。さらなる問題は、その位置に関連付けられる情報を所与の位置にいる人々に提供することにかかわる。そのように提供することは、例えば複数の位置に関係する情報を前もってダウンロードしておくことによって達成することができる。しかし、そのようにダウンロードしておくことは、それらの位置を通ることが事前に予定されていたことを暗示し、それは必ずしも可能でありまたは望まれるとは限らない。
【発明の概要】
【発明が解決しようとする課題】
【０００４】
本発明の目的は、上記の欠点を完全にまたは部分的に改善することである。
【課題を解決するための手段】
【０００５】
本発明は、位置決め可能な位置に関係するデータを記録することに向けられる方法であって：
ｉ）ある場所においてある人物が抱いた少なくとも１つの感情を表す主要データを、前述の人物によって使用され、かつ位置決め装置を備える無線通信端末を使って記録するステップと、
ｉｉ）端末の位置決め装置を使い、前述の位置の地理的位置を求めるステップと、
ｉｉｉ）前述の特定の地理的位置との相関関係において記録された主要データを記憶するステップと
を含む、方法を提唱する。
【０００６】
本発明の方法は、別々にまたは組み合わせて取り入れることができる他の特徴を含むことができ、その特徴とは具体的には：
−  ｉ）において、その人物が、自らの端末の画面上に表示されるメニューの、経験した感情のリストおよび／または経験した（「一次的」または「二次的」）感情を表すアイコン（または画像）群の中から、経験した感情を（入力を容易にするために）選択できること、
−  ｉ）において、記録された経験した感情の強さを表す、補足的データを記録できること、
−  ｉ）において、その人物が、例えば自らの端末の画面上に表示されるメニューの強さのリストの中から、経験した感情の強さを選択できること、
−  ｉ）において、位置および／または記録された経験した感情についての説明を表す補足的データを記録することができ、この補足的データは経験した感情の主要データに関連付け、その位置において記録できること、
−  ｉ）において、端末の撮影装置を使い、少なくとも１枚の写真記録をその位置で撮ることができ、次いで、撮られたそれぞれの写真記録を定義する画像データを、その位置において記録された経験した感情の主要データに関連付けることができること、
−  ｉ）において、端末のオーディオ装置を使い、少なくとも１つの音声記録をその位置で取ることができ、次いで、録られたそれぞれの音声記録を定義する画像データを、その位置において記録された経験した感情の主要データに関連付けることができること、
−  ｉｉｉ）において、人物によって記録された主要データおよびもしあれば関連する補足的データを、自動的に求められる地理的位置と対にして、およびその人物の識別子と対にしてサーバに記憶できること、
−  少なくとも１人の人物のデータ記録に関連する複数の位置を含む区域を表す地図が生成され、少なくとも１つの選択された基準に応じて選択された、少なくとも１人の人物によって記録された主要データならびにもしあれば関連する補足的データを表す選択された要素を、対応する地理的位置においてこの地図上に表示することができるｉｖ）を提供できること、
−  少なくとも１人の人物のデータ記録に関連する複数の位置を含む区域を表す地図が生成され、次いで、この地図内に副区域が定義されてもよく、次いで、それぞれの副区域ごとに、少なくとも１人の人物によりその副区域の中で経験された、少なくとも１つの選択された感情に関係する平均値を求めることができ、割り当てられたマーカーとともにそれぞれの副区域を表示するように、その副区域の求められた平均値を表すマーカーをそれぞれの副区域に割り当てることができるｉｖ）を提供できること、
−  所与の人物のために（例えば発行者により）少なくとも１つのトピック的な分析を実行できること
である。
【０００７】
本発明は、位置付け装置を備える無線通信端末用の、位置付け可能な位置に関係するデータを記録することに向けられる装置であって、その端末を使用する人物がある位置において経験する少なくとも１つの感情を表す主要データを記録すること、さらに端末の位置付け装置によって求められるその位置の地理的位置にその主要データを関連付けることの両方を課せられる記録手段を備える、装置も開示する。
【０００８】
本発明の装置は、別々にまたは組み合わせて取り入れることができる他の特徴を含むことができ、その特徴とは具体的には：
−  その装置の記録手段は、端末の画面上に表示されることを目的とするメニューであって、その人物がその中から少なくとも１つの経験した感情を自らの端末のマン／マシンインターフェースを使って選択することができる、経験した感情のリストおよび／または経験した（「一次的」または「二次的」）感情を表すアイコン（または画像）群を含む、メニューを生成することを課せられる、選択手段を備えることができること、
−  その装置の記録手段は、記録された経験した感情の強さを表す、補足的データを追加的に記録することを課せられてもよいこと、
−  その選択手段は、端末の画面上に表示されることを目的とするメニューであって、その人物がその中から経験した感情の強さを自らの端末のマン／マシンインターフェースを使って選択することができる、経験した感情の強さのリストを含む、メニューを生成することを課せられてもよいこと、
−  その装置の記録手段は、位置および／または記録された経験した感情についての説明を表す補足的データを追加的に記録すること、およびその補足的データを、その位置において記録された経験した感情の主要データに関連付けることを課せられてもよいこと、
−  その装置の記録手段は、ある位置において記録された経験した感情の主要データを、端末の撮影装置を使いその位置で撮られた少なくとも１枚の写真記録を定義する画像データに、および／または端末の音声記録装置を使いその位置で録られた少なくとも１つの音声記録を定義する音声データに関連付けることを課せられてもよいこと
である。
【０００９】
本発明は、通信ネットワーク用のサーバであって、求められる地理的位置および人物の識別子と対にして記録され、その後、上記に提示した種類の記録装置を備えるその人物の無線通信端末によって伝送される、主要データおよびもしあれば関連する補足的データを記憶することを課せられる記憶手段を備える、サーバも開示する。
【００１０】
そのようなサーバは、少なくとも１人の人物のデータ記録に関連する複数の位置を含む区域を表す地図を生成すること、および少なくとも１つの選択された基準に応じて選択された、少なくとも１人の人物によって記録された主要データならびにもしあれば関連する補足的データを表す選択された要素を、対応する地理的位置においてその地図に添付することを課せられる、計算手段も備えることができる。
【００１１】
さらに、このサーバは、ｉ）少なくとも１人の人物のデータ記録に関連する複数の位置を含む区域を表す地図を生成すること、ｉｉ）その地図内に副区域を定義すること、ｉｉｉ）それぞれの副区域ごとに、少なくとも１人の人物によるその副区域の中での、少なくとも１つの選択された経験感情に関係する平均値を求めること、およびｉｖ）割り当てられたマーカーとともにそれぞれの副区域をその地図内に表示できるように、その副区域の求められた平均値を表すマーカーをそれぞれの副区域に割り当てることを課せられる、計算手段も備えることができる。
【００１２】
本発明の他の特徴および利点が、以下の詳細説明、および添付図面を検討するときに明らかになる。
【図面の簡単な説明】
【００１３】
【図１】通信ネットワークに結合される、本発明によるサーバおよび本発明の記録装置の一実施形態例を備える移動端末を、概略的におよび機能的に示す図である。
【図２】移動端末の画面上に表示される選択メニューの一例を概略的に示す図である。
【図３】ある人物の地理的位置を表し、様々な位置においてその人物が局所的に経験した感情の強さをその寸法が表す、円形の要素がその上に表示される市街区域を表す地図の第１の例を概略的に示す図である。
【図４】人々の地理的位置を表す円形の要素がその中に表示され、１組の訪問者が局所的に経験した感情の平気的な強さをその灰色の影が表す副区域へと分割される、美術館の区域を表す地図の第２の例を概略的に示す図である。
【発明を実施するための形態】
【００１４】
添付図面は、本発明を完全なものにする役割を果たすだけでなく、必要に応じて本発明の定義に寄与する役割も果たすことができる。
【００１５】
本発明の１つの目的は、位置付け可能な位置に関するデータを、後で使用するためにおよび／または再使用するために記録できるようにすることである。
【００１６】
本発明の実装形態に関与する機器を提示するために、まず図１を参照する。
【００１７】
概略的に示すように、本発明のこの実装形態は、位置付け装置ＤＬが設けられ、無線通信ネットワークＲに優先的に接続することができる無線通信端末Ｔを人々が備えることを必要とする。
【００１８】
ここでは、「位置付け装置」とは、その中にこの位置付け装置が組み込まれる（無線通信）端末Ｔの位置を、高精度で、典型的には１メートル（または数メートル）程度まで求めることができる装置を指す。この位置付け装置は、例えばＧＰＳ装置などの衛星位置付け装置とすることができる。ただし、この位置付け装置は、端末Ｔに組み込まれ、ある位置に設置されるＲＦＩＤタグに記憶される位置データ（または所与の基準ベース内の位置を表す識別子）を読み取り、または電波によって受信することができる、受動または能動ＲＦＩＤチップ無線装置とすることもできる。
【００１９】
以下では、非限定的な例として、無線通信端末Ｔが携帯（またはセルラ）電話だと仮定する。しかし、本発明はこの種類の無線通信端末に限定されない。むしろ本発明は、電波により無線（またはワイヤレス）通信ネットワークまたは他の任意の無線通信装置に接続することができる、任意の種類の移動通信端末またはポータブル通信端末、具体的には、無線通信モジュールを備えるポータブルコンピュータおよび携帯情報端末（すなわちＰＤＡ）を包含する。
【００２０】
本発明による無線通信端末Ｔ（ここでは携帯電話）は、少なくとも１つの記録装置Ｄ、表示画面ＥＡ、ならびに使用者が操作して英数字データを入力すること、および表示画面ＥＡ上に表示されるメニューの要素を選択することを可能にするマン／マシンインターフェースＩＨ、さらには可能性として写真記録（画像データファイル）またはビデオシーケンス（動画データファイル）さえも撮ることを可能にする撮影装置ＤＰ、および／または音声記録（オーディオファイル）を取ることを可能にし、よって、とりわけマイクロフォンを備える音声記録装置ＤＳを有することに留意すべきである。
【００２１】
記録アプリケーションを一定の方法で構成する本発明による記録装置Ｄは、携帯電話Ｔに結合する（または接続する）か、または図１に非限定的な形式で図示するように携帯電話Ｔの一体部分を形成してもよいことにも留意すべきである。その結果、記録装置Ｄは、電子回路、可能性としてダウンロードされるソフトウェア（またはコンピュータ）モジュール、または回路とソフトウェアとの組合せの形態で構築することができる。
【００２２】
図１に示すように、本発明による記録装置Ｄは、記録手段（または記録モジュール）ＭＥを主に含む。この手段またはモジュールＭＥは、少なくとも２つの機能を実施するように機能する。
【００２３】
第１の機能は、携帯電話Ｔを使用する人物がある位置において経験した、少なくとも１つの感情（または印象）を表す主要データを記録することからなる。
【００２４】
記録手段ＭＥの第２の機能は、ある位置において記録手段ＭＥが主要データを記録する度に、その記録手段ＭＥの携帯電話Ｔの位置付け装置ＤＬから、その位置の地理的位置の座標を求め、その地理的位置をその記録した主要データに関連付けることからなる。
【００２５】
人が経験し得るどんな種類の感情（または印象もしくは情動）も記録することができる。したがって、その感情は、例えば非限定的な形式で、喜び、悲しみ、情動、驚嘆、嫌悪、愛情、憎しみ、恐れ、驚き、反感、誇り、懐古、嫉妬、驚愕、称賛、尊敬、恥ずかしさ、羨望、憤慨、または苛立ちとすることができる。感情は、ビルディング、記念碑、建築物の前や近所、公園、会場、庭園などの屋外であろうと、美術館、娯楽場（映画館、劇場、オペラ劇場）、店、レストラン、商店、モール、スーパーマーケット、工場、研究所、礼拝所の中などの屋内であろうと、任意の位置において「たまたま」経験し得る。
【００２６】
人が、ある位置において経験している感情を記録したいときはいつでも、その人は自らの携帯電話Ｔの記録手段ＭＥによって制御されるコンピューティングベースの記録アプリケーションを使用する。とりわけ単純な一実施形態では、その記録アプリケーションは例えばロードされると、画面ＥＡ上に、前述の携帯電話Ｔのマン／マシンインターフェースＩＨを使って経験感情を定義する語または語句を入力するようにその人物を促す入力ウィンドウを、携帯電話Ｔに表示させることができる。
【００２７】
（図２に示す）もう１つの洗練された改変形態では、ロードされた記録アプリケーションによって命令される場合に、携帯電話Ｔの画面ＥＡ上に表示されることを目的とするメニューであって、入力を容易にする経験した感情のリストおよび／またはアイコン（または画像）群を含む、メニュー（可能性としてドロップダウンメニュー）を生成することを課せられる選択手段（または１つもしくは複数のモジュール）ＭＮを、記録手段ＭＥが含むことができ、入力が容易になるのは、それらのリストおよび／またはアイコン（または画像）群が、前述の携帯電話Ｔのマン／マシンインターフェースＩＨを使い、少なくとも１つの経験した感情をその人物がその中から選択できる、経験した（最も重要な感情とみなされることを意味する）「一次的」感情、または（それほど重要でないとみなされることを意味する）「二次的」感情を表すからである。
【００２８】
図２に非限定的な形式で図示するように、この選択手段（または１つもしくは複数のモジュール）ＭＮは、ロードされた記録アプリケーションによって命令される場合に、前述の携帯電話Ｔのマン／マシンインターフェースＩＨを使い、位置および／または記録された（選択された）経験した感情についての説明を表す補足的データを入力するようにその人物を促す、入力（「補足テキスト」）ウィンドウを生成することを課せられてもよい。この状況では、記録手段ＭＥは、その人物によってウィンドウに入力された補足的データを、当該位置においてその人物が記録した（選択した）、１つまたは複数の経験した感情の主要データに関連付ける。
【００２９】
この記録手段（またはモジュール）ＭＥは、その人物が記録した（選択した）経験した感情の強さを表す補足的データを記録するように機能することもできることに留意すべきである。そのような補足的データを記録するために、および図２に非限定的な形式で図示するように、選択手段（または１つもしくは複数のモジュール）ＭＳを、携帯電話Ｔの画面ＥＡ上に表示されることを目的とするメニューであって、その人物がその中から、選択した経験した感情の強さを前述の携帯電話Ｔのマン／マシンインターフェースＩＨを使って選択することができる、経験した感情の強さのリストを含む、メニュー（可能性としてドロップダウンメニュー）を生成するように構成することができる。例えば、および図示するように、３つの強さの選択肢［低（Ｆ）、中（Ｍ）、および高（Ｅ）］を表示し、その人物に提供することができる。選択された強さ（補足的データ）はその後、記録手段（ＭＥ）により、以前選択された経験した感情（主要データ）、ならびに（携帯電話Ｔの位置付け装置ＤＬによって提供される）その位置の地理的位置に直ちに関連付けられる。
【００３０】
携帯電話Ｔが、撮影装置ＤＰおよび／または音声記録装置ＤＳを備えるとき、記録手段ＭＥは、ある位置において記録された（選択された）経験した感情の主要データを、撮影装置ＤＰを使いその位置で撮られた少なくとも１枚の写真記録を定義する画像（またはファイル）データに、および／または音声記録装置ＤＳを使いその位置で録られた少なくとも１つの音声記録を定義する音声（またはファイル）データに関連付けるように機能できることにも留意すべきである。そのように関連付けるために、および図２に非限定的な形式で図示するように、選択手段（または１つもしくは複数のモジュール）ＭＳは、携帯電話Ｔの画面ＥＡ上に表示されることを目的とする選択可能アイコンであって、写真（またはビデオシーケンス）を撮るようにその人物を促す、選択可能アイコンおよび／または自身の環境内の音を記録するようにその人物を促す、携帯電話Ｔの画面ＥＡ上に表示されることを目的とする選択可能アイコンを生成するように機能することができる。例えば、その人物によって写真アイコンが選択された場合、記録アプリケーションは、撮影装置ＤＰを制御する写真アプリケーションをロードし、次いでその人物が少なくとも１枚の写真（またはビデオシーケンス）を撮ると、記録手段ＭＥが、その記録された写真ファイルまたは動画ファイルを、以前選択された経験した感情の主要データ、および（携帯電話Ｔの位置付け装置ＤＬによって提供される）その位置の地理的位置、ならびにもしあれば他の補足的データ（強さおよび／または説明）に関連付けた。
【００３１】
例として、ある位置において感情に関連する説明（補足的データ）は、例えば写真または記録されたオーディオシーケンスを指すことができる。例えば、ある人物は、「私は運転手の態度に非常に驚いた（関連する写真を参照されたい）」や、「この教会で演奏していたオルガン奏者による演奏の質に感動した（関連するオーディオシーケンスを聴かれたい）」や、「ミロのＢｌｅｕ  ＩＩは本当に格別だ（関連する写真を参照されたい）」などの動詞句を入力することができる。
【００３２】
屋内で動作するときにＧＰＳタイプの装置が直面する困難を理由に、上記に示すように、無線タグを使用する目的に適合した位置付け装置ＤＬを備える携帯電話Ｔに、位置データ（または位置を表す識別子）を（自発的にまたは問い合わせられる場合に）提供することができる無線タグ（ＲＦＩＤタグなど）を一部の場所（例えば美術館、展覧会、スーパーマーケットの中など）に設置することが考えられることに留意することが重要である。
【００３３】
主要データおよび関連する位置の地理的位置を定義するデータ、ならびにもしあれば関連する補足的データ（強さおよび／または説明）は、地理的位置に関連するデータを考慮に入れる前述の携帯電話Ｔの少なくとも１つのローカルアプリケーションにより、後で使用しまたは再使用できるように、携帯電話Ｔの中に記憶できることに留意すべきである。ただしこのデータは、携帯電話Ｔの記録装置Ｄの要求時に、その携帯電話（Ｔ）が接続される通信ネットワークＲを介して、携帯電話ＴによってサーバＳに（または別の無線通信装置に）伝送することもできる。そのようなサーバＳは、通信ネットワークＲに接続されているか、またはそのネットワークに（例えばインターネットを介して）アクセス可能であることを理解すべきである。例えばこのサーバＳは、可能性としてインターネットを介して（例えばウェブページにより）、可能性として共有形式で提供する前に、記録データを受信／記憶するアプリケーションサーバとすることができる。
【００３４】
したがってこのサーバＳは、携帯電話Ｔによって記録され、その後伝送されるデータを記憶することを課せられる、少なくとも記憶手段ＭＳを備える。より正確には、これらの記憶手段ＭＳは、主要データおよび関連する任意の補足的データを、関連する位置の地理的位置と対にして、およびそれらのデータを伝送する携帯電話Ｔを使用する人物の識別子と対にして記憶する。他の用語では、この記録データは、使用されまたは再使用されるために、地図背景上や選択されたベースマップ上などに地理参照（ｇｅｏ−ｒｅｆｅｒｅｎｃｅｄ）される。
【００３５】
当業者に知られている任意の種類の記憶手段ＭＳを使用することができ、それは具体的にはメモリまたはデータベースである。
【００３６】
その後、その記憶されるデータは、サーバＳのローカルアプリケーションにより、または他のサーバもしくは（無線または非無線）通信端末にインストールされ得るリモートアプリケーションによってさえ使用されてよい。
【００３７】
例えば、サーバＳは、要求時に、少なくとも１人の人物のデータ記録が関連付けられている複数の位置を含む区域Ｚを表す地図を生成することを課せられる、計算モジュール（またはアプリケーション）ＭＣも備えることができる。２次元（２Ｄ）であろうと３次元（３Ｄ）であろうと、どんな種類の地図も考えることができる。したがって、地図は、ある市街の１つもしくは複数の地域や市街地域のビル、または美術館、店、もしくはショッピングモールの様々なフロア（または階）、または美術館、店、もしくはショッピングモールの１つまたは複数のフロア（または階）の様々な小区画の輪郭を示すことができる。
【００３８】
この計算モジュールＭＣは、少なくとも１人の人物によって記録され（かつ記憶手段ＭＳ内に記憶され）、少なくとも１つの選択された基準に応じて選択された主要データおよびもしあれば関連する補足的データを表す、選択された要素ＥＬを自らが生成した地図に添付することも課せられる。次いで、これらの選択された要素ＥＬは、これらのＥＬが表すデータが記録された位置の地理的位置に一致する地理的位置において、地図上に表示されることを理解すべきである。これにより、この地図は、（可能性として選択された時間間隔にわたって）前に記録されたデータの一種の統合を構成する。この地図はとりわけ、自ら（または別の人）が特定の感情を以前経験した場所に、人が戻ることを可能にすることができる。
【００３９】
記録データがある日付と対にして記憶されるとき、様々な日付に得られる記録データをまとめる地図比較も行えることに留意すべきである。この地図比較は、実際に、美術館の館長やスーパーマーケットの経営者にとって（具体的にはトピック的な調査またはマーケティングのために）とりわけ役立つ、所謂「時間ごとの（ｔｉｍｅ−ｔｏ−ｔｉｍｅ）」分析（単一区域内で経験した感情の経時的変化の分析）を実行可能にすることができる。
【００４０】
どんな種類の選択された要素ＥＬも使用することができ、それは具体的には円、四角形、三角形、星印などの幾何学的な要素である。
【００４１】
少なくとも１つの経験した感情、および／または少なくとも１つの時間間隔、および／または少なくとも１つの人々のグループ、および／または少なくとも１つの位置との関係を有する、任意の種類の基準を使用することができる。したがって、基準は、（その人物の個人識別子によって識別される）所与の人物が１つもしくは複数の感情、可能性として選択された感情またはその強さに関係なく単一の感情を経験した、都市の市街または都市の全ての位置を選択することからなることができる。この最後の選択基準は、図３の地図を作成するために使用された基準である。より詳細には、円のＥＬは、１人の人物が経験した感情を記録した地域の様々な位置を表す選択された要素であり、これらの円ＥＬのそれぞれの寸法は、その人物がそれらの感情を強さを表す。
【００４２】
別の基準は、人々が、可能性として選択されかつ／または可能性として少なくとも１つの選択された強さを有する１つもしくは複数の感情を経験した、美術館のフロアまたは美術館の位置の全てを選択することからなることができる。この状況は、人々が自らのデータを匿名で共有することに同意することを必要とし得る。
【００４３】
さらに別の基準は、（例えばコミュニティまたは出会いの場所（ｍｅｅｔ−ｕｐ  ｓｉｔｅ）における）人々の間の類似点または行動相関を示すために選択された、少なくとも単一の感情を人々が抱いた市街の地域、または市街、または美術館のフロアの全ての位置を選択することからなることができる。この状況は、人々が自らのデータを共有することに同意することを必要とし得る。
【００４４】
計算モジュールＭＣは、区域Ｚの地図内に副区域ＳＺｉ（ｉ＝１からＮ）を定義し、次いでそれぞれの副区域ＳＺｉごとに、その副区域ＳＺｉ内で経験した単一の選択された感情を有する人々により、関連する強さの平均値を求め、その副区域の求められた平均の強さを表すマーカーをそれぞれの副区域ＳＺｉに割り当てることも課せられてよいことに留意すべきである。したがって、それぞれの副区域ＳＺｉは、割り当てられたマーカーとともにその地図内に表示することができる。図４に、そのような地図の一例を示す。より詳細には、円ＥＬは、人々が単一の経験した心情を記録した美術館のフロアの様々な位置を表す選択された要素であり、４つの異なる灰色の影ＮＳｊ（ｊ＝１から４）は、６個の副区域ＳＺｉ（ここではｉ＝１から６）内で経験したその感情の、４つの平均強度値をそれぞれ表す。この状況は、人々が自らのデータを匿名で共有することに同意することを必要とし得る。
【００４５】
この種の地図は、どの作品および／または芸術家が最も多くの訪問者を満足させるのか、またはどの屋内のレイアウトが最も好評でありもしくは訪問者のニーズに最も適しているのかを判断するために、芸術系の展覧会の主催者や美術館の館長によって好都合に使用され得る。
【００４６】
非限定的な例として、Ｇｏｏｇｌｅ  Ｅａｒｔｈ（Ｒ）によって提供される種類のものなど、地図製作のアプリケーションプログラミングインターフェイス（すなわちＡＰＩ）が、選択された要素ＥＬを、観測衛星を使って以前得た屋外地図の対応する地理的位置に添付できるようにすることができる。
【００４７】
同一のまたは異なる基準から作成される複数の地図の間で、比較または相関を行うことができることに留意すべきである。同様に、様々な領域に対応する複数の地図を組み合わせることまたは集約することも、可能性として行うことができる。
【００４８】
ある人物によって記録されたデータは、可能性としてネットワークゲームまたはソーシャルネットワーク内のその人物のアバターに関連付け、その結果、実世界と仮想世界との間の架け橋を確立し得ることにも留意すべきである。より詳細には、ある人物のアバターの気分は、その人物によって経験され（抱かれ）、記録され、その後サーバＳに（その後可能性としてコミュニティサイトに）記憶される感情を表すことができる。個人的性質の一部の感情は、専ら当該人物（またはあらかじめ定義された友人または知人のグループ）が使用するために確保しておくことができる一方で、他の何らかの（個人的「ではあまりない」）感情は共有することができ、したがってその人物のアバターに関連付けることが可能であることに留意すべきである。
【００４９】
どの製品が顧客を最も満足させるのか、またはどの内部レイアウトが最も好評でありもしくは顧客のニーズに最も適しているのかを判断するために、記録データは可能性として大規模小売店（もしくはスーパーマーケット）または商店内で、希望者（ｖｏｌｕｎｔｅｅｒ）によって記録されてよいことにも留意すべきである。この状況では、無線通信端末Ｔが可能性として希望顧客に貸し出されてよく、記録データが例えばそれらの端末Ｔから１つの無線通信機器にアップロードされ得る。
【００５０】
概して言えば、計算モジュールＭＣは、何であれ任意のいかなるトピック表示を行うためにも、記録データに対して任意の種類の分析を行うように機能することができる。したがって各人は、例えば個人のウェブページ上で可能性として提供することができる自身の個人的な感情の地図を構築し、または例えば下にある複数の点の密度に由来する複数の領域に基づいて可能性として構築される、情動的な冷めた区域および／または熱心な区域の地図を得るために、トピック的な分析を要求することができる。
【００５１】
さらに、地図は、リアルタイムで構築される場合（逐次的記録が作成されるときを意味する）、動的であり得ることに留意すべきである。その結果、関連するトピック的な分析も動的であり得る。この場合、各人は、コミュニティサイトによる比較の過程を含む、様々な環境（または用途）において自身の１つまたは複数の感情についての地図を使用することができる。
【００５２】
本発明によるサーバＳの計算モジュールＭＣは、電子回路、ソフトウェア（またはコンピューティング）モジュール、または回路とソフトウェアとの組合せの形態で構築することができる。
【００５３】
本発明は、記録方法の観点からも検討することができ、その場合にはとりわけ、上記に記載した種類の記録装置Ｄを備える無線端末Ｔ、および可能性として上記に記載した種類のサーバＳを使って実施し得ることに留意することが重要である。本発明による方法の実装形態によって提供される機能は、上記に紹介した装置Ｄによって提供される機能と同一なので、その方法によって提供される主要機能の組合せだけを以下に示す。
【００５４】
この方法は次のステップ：
ｉ）ある位置においてある人物が抱いた少なくとも１つの感情を表す主要データを、その人物によって使用され、かつ位置付け装置ＤＬを備える無線通信端末Ｔを使って記録するステップと、
ｉｉ）端末Ｔの位置付け装置ＤＬを使い、その位置の地理的位置を求めるステップと、
ｉｉｉ）記録した主要データを、その求めた地理的位置と対にして記憶するステップと
を含む。
【００５５】
本発明は、上記に記載した記録方法、記録システム、およびサーバについての専ら例として与えた諸実施形態に限定されず、むしろ本発明は、特許請求の範囲の枠組みの範囲内で当業者が思い描くことができる全ての改変形態を包含する。
【図１】
0005271421.tif 000002
【図２】
0005271421.tif 000003
【図３】
0005271421.tif 000004
【図４】
0005271421.tif 000005